(57)【特許請求の範囲】
【請求項１】
映像信号の有効画面外に所定のリファレンスパルスを設け、
受像管の有効画面外で上記リファレンスパルスによる信号を検出して所定の調整を行う手段を有するテレビジョン受像機において、
上記映像信号の垂直同期が乱された後に引き込まれた最初の垂直同期に関連した上記リファレンスパルスの発生を停止する手段を設けた
ことを特徴とするテレビジョン受像機。
【請求項２】
請求項１記載のテレビジョン受像機において、
上記映像信号の垂直同期の位相が大幅に変化した後に引き込まれた最初の垂直同期に関連した上記リファレンスパルスの発生を停止する手段を設けた
ことを特徴とするテレビジョン受像機。
【発明の詳細な説明】
【０００１】
【発明の属する技術分野】
本発明は、例えば映像信号の有効画面外に設けられたリファレンスパルスを検出して、陰極線管（ＣＲＴ）の個体差や経年変化等の補償を行うようにしたテレビジョン受像機に関するものである。
【０００２】
【従来の技術】
例えば映像信号の有効画面外にリファレンスパルスを挿入して、陰極線管の個体差や経年変化等の補償を行うテレビジョン受像機が提案されている。すなわち図２において、図示しない復調回路からの３原色（Ｒ、Ｇ、Ｂ）の映像信号が入力端子２１Ｒ、２１Ｇ、２１Ｂに供給される。これらの映像信号がスイッチ回路２２Ｒ、２２Ｇ、２２Ｂに供給されて、例えば端子２０からの制御信号に従って有効画面外の任意の位置に所定レベルのリファレンスパルスが挿入される。
【０００３】
これらのリファレンスパルスの挿入された３原色の映像信号が、それぞれレベルシフト回路２３Ｒ、２３Ｇ、２３Ｂを通じてドライブ回路２４Ｒ、２４Ｇ、２４Ｂに供給される。ここで例えばドライブ回路２４Ｒでは、供給された映像信号がトランジスタＱで増幅され、トランジスタＰを通じて陰極線管（ＣＲＴ）２５のカソード電極に供給されるものである。なおドライブ回路２４Ｇ、２４Ｂについては、ドライブ回路２４Ｒと同じ構成なので詳細な図示を省略する。
【０００４】
さらに、これらのドライブ回路２４Ｒ、２４Ｇ、２４ＢのトランジスタＰを流れる電流が、それぞれスイッチ２６Ｒ、２６Ｇ、２６Ｂを通じて取り出される。ここでこれらのスイッチ２６Ｒ、２６Ｇ、２６Ｂは、例えば上述の端子２０からのリファレンスパルスの挿入されるタイミングでオンされる。これによってスイッチ２６Ｒ、２６Ｇ、２６Ｂからは、３原色の映像信号に挿入されたそれぞれのリファレンスパルスに対応するカソード電流が取り出される。
【０００５】
これらのカソード電流が検出回路２７Ｒ、２７Ｇ、２７Ｂを通じてレベルシフト回路２３Ｒ、２３Ｇ、２３Ｂに帰還されて、例えば３原色の映像信号の黒レベルがリファレンスパルスの高さと等しくなるように制御が行われる。これによって、例えばオートカットオフ調整が行われるものである。すなわちこの図２の装置において、例えば映像信号の有効画面外に挿入されたリファレンスパルスが検出されることによって、陰極線管の個体差や経年変化等の補償が行われる。
【０００６】
【発明が解決しようとする課題】
ところで上述の装置において、映像信号に挿入されるリファレンスパルスは所定の輝度レベルを有するパルス信号である。従ってこのようなリファレンスパルスが有効画面内に挿入されると、水平方向の輝線となって表示されて映像信号の鑑賞を妨害する恐れがある。そこで上述のように、リファレンスパルスは例えば映像信号の有効画面外に挿入されることになっているが、同期信号の乱れや位相の変化などによってこの挿入位置には変動が生じ易いものである。
【０００７】
すなわち上述の装置で、例えば陰極線管（ＣＲＴ）２５での垂直偏向は、例えば図３に示すように行われる。図３において、例えば図示しない復調回路からの映像信号が垂直同期分離回路３１に供給されて、映像信号中の垂直同期信号が分離される。この分離された垂直同期分離信号がＶカウントダウン回路３２に供給される。そしてこのＶカウントダウン回路３２では、例えば垂直同期分離回路３１で分離された信号の欠落等に対する補間が行われる。
【０００８】
さらにこのＶカウントダウン回路３２からの垂直同期パルスが偏向回路３３に供給されて、いわゆる鋸歯状の垂直偏向信号（電圧）が形成される。すなわち図４において、垂直同期分離回路３１からの例えば図４のＡに示すような垂直同期分離信号がＶカウントダウン回路３２に供給されて、図４のＢに示すような垂直同期パルスが形成される。そしてこの垂直同期パルスから図４のＣに示すような鋸歯状の垂直偏向信号（電圧＝ＶＤ）が形成される。
【０００９】
この垂直偏向信号（電圧）が偏向ドライブ回路３４に供給されて、例えば電圧信号が電流に変換される。そしてこの電流に変換された垂直偏向信号が上述の陰極線管２５の垂直偏向コイル（図示せず）に供給されて垂直偏向が行われる。これにより、上述の陰極線管２５のカソード電極に供給された映像信号によって形成される電子ビームの垂直偏向が行われ、画像の表示が行われるものである。なお水平偏向は別途に行われている。
【００１０】
そしてこの場合に、例えば図４の時刻ｔ1 で受信チャンネルの切り換え等が行われて垂直同期の位相が大幅に変化すると、最初はＶカウントダウン回路３２では以前の映像信号の垂直同期信号が欠落したものと見做して新たな映像信号の垂直同期信号は無視して補間が行われる。しかし所定の時間内に垂直同期信号が復帰しないと、例えば時刻ｔ2 においてＶカウントダウン回路３２では新たな映像信号の垂直同期信号に従った垂直同期信号の形成が開始される。
【００１１】
従ってこの場合には、上述の新たな映像信号の垂直同期信号に従った直後の時刻ｔ2 の近傍の時点で、例えば図４のＢに示すように垂直同期信号（パルス）が短い間隔で２つ連続して形成（ａ）されることになる。そしてこのような垂直同期信号（パルス）から垂直偏向信号（電圧）が形成されることによって、この形成される垂直偏向信号（電圧）は、図４のＣに示すように鋸歯状の頂点が２つ連続した形状（ｂ）とされることになる。
【００１２】
ところが上述の装置において、例えば陰極線管（ＣＲＴ）２５の垂直偏向系では一般的に積分効果が働くために、実際に電子ビームに作用する偏向電流の波形は、図４のＤに示すように波形の鈍ったもの（ｃ）になってしまう。これは特にチャージポンプ型の回路を用いている偏向系では、上述の短い間隔で垂直同期信号（パルス）が連続した場合には、ポンプアップが充分でない内に同期パルスが供給されることになって波形のピークが下がってしまうものである。
【００１３】
そしてこの図４のＤのような垂直偏向信号（電圧）で偏向が行われると、この波形の鈍った部分で垂直偏向が一時停止されることになる。一方、上述のリファレンスパルスが図４のＢに示す垂直同期パルスを基準にして形成されていると、図４のＥに示すように垂直偏向が停止された中でもリファレンスパルス（ｄ）が発生される。このため上述の装置では、陰極線管（ＣＲＴ）２５の有効画面内にリファレンスパルスによる水平方向の輝線が表示されてしまうものである。
【００１４】
すなわち図５において、例えば同図のＡに示すように正常な偏向電流（左側）で偏向が行われている場合には、陰極線管２５（右側）の有効画面の外の部分にリファレンスパルスが挿入されて表示は隠されている。これに対して同図のＢに示すように偏向電流（左側）の波形が鈍っていると、２番目の垂直同期信号（パルス）から所定のタイミングで挿入されるリファレンスパルスが、有効画面内に表示されてしまうものである。
【００１５】
この出願はこのような点に鑑みて成されたものであって、解決しようとする問題点は、従来の装置では受信チャンネルの切り換え時等の同期信号の乱れや位相の変化などによって、陰極線管の有効画面内にリファレンスパルスが形成されることがあり、このリファレンスパルスによる水平方向の輝線が有効画面内に表示されて、映像信号の鑑賞を妨害する恐れが生じるというものである。
【００１６】
【課題を解決するための手段】
このため本発明においては、映像信号の垂直同期が乱された後に引き込まれた最初の垂直同期に関連したリファレンスパルスの発生を停止するようにしたものであって、これによれば、受信チャンネルの切り換え時等の同期信号の乱れや位相の変化などによって、陰極線管の有効画面内にリファレンスパルスが形成されることを防止し、水平方向の輝線が有効画面内に表示されて映像信号の鑑賞が妨害されることがないようにすることができる。
【００１７】
【発明の実施の形態】
すなわち本発明においては、映像信号の有効画面外に所定のリファレンスパルスを設け、受像管の有効画面外でリファレンスパルスによる信号を検出して所定の調整を行う手段を有するテレビジョン受像機において、映像信号の垂直同期が乱された後に引き込まれた最初の垂直同期に関連したリファレンスパルスの発生を停止する手段を設けてなるものである。
【００１８】
【実施例】
以下、図面を参照して本発明を説明するに、図１は本発明を適用したテレビジョン受像機の一例の要部の構成を示すブロック図である。
【００１９】
すなわち図１において、セット−リセット型のフリップフロップ１が設けられる。上述のＶカウントダウン回路において検出される映像信号の垂直同期が乱された後に引き込まれた最初の垂直同期分離信号（図４のＢで示すところの（ａ）パルス）が、制御端子２を通じてフリップフロップ１のセット端子（Ｓ）に供給される。さらに上述の垂直同期信号（パルス）から所定のタイミングで形成されるリファレンスパルスの制御信号が制御端子３に供給され、この制御信号がインバータ４を通じてフリップフロップ１のリセット端子（Ｒ）に供給される。
【００２０】
そしてこのフリップフロップ１の出力端子（ＱＸ）に得られる信号がアンド回路５に供給され、上述の制御端子３からの制御信号と合成される。これによって、このアンド回路５では、通常時は制御端子３からの制御信号が取り出されると共に、例えば垂直同期信号を引き込んだ（入力信号の垂直同期分離信号で垂直同期パルスをリセットした）ことを検出して、検出が行われた後の最初の制御信号だけがマスクされる。
【００２１】
さらに図１において、図示しない復調回路からの３原色（Ｒ、Ｇ、Ｂ）の映像信号が入力端子１１Ｒ、１１Ｇ、１１Ｂに供給される。これらの映像信号がスイッチ回路１２Ｒ、１２Ｇ、１２Ｂに供給される。そしてこのスイッチ回路１２Ｒ、１２Ｇ、１２Ｂに、上述のアンド回路５で形成された、例えば検出が行われた後の最初の信号だけマスクされた制御信号が供給されて、この制御信号に従って有効画面外の任意の位置に所定レベルのリファレンスパルスが挿入される。
【００２２】
これらのリファレンスパルスの挿入された３原色の映像信号が、それぞれレベルシフト回路１３Ｒ、１３Ｇ、１３Ｂを通じてドライブ回路１４Ｒ、１４Ｇ、１４Ｂに供給される。ここで例えばドライブ回路１４Ｒでは、供給された映像信号がトランジスタＱで増幅され、トランジスタＰを通じて陰極線管（ＣＲＴ）１５のカソード電極に供給されるものである。なおドライブ回路１４Ｇ、１４Ｂについては、ドライブ回路１４Ｒと同じ構成なので詳細な図示を省略する。
【００２３】
さらに、これらのドライブ回路１４Ｒ、１４Ｇ、１４ＢのトランジスタＰを流れる電流が、それぞれスイッチ１６Ｒ、１６Ｇ、１６Ｂを通じて取り出される。ここでこれらのスイッチ１６Ｒ、１６Ｇ、１６Ｂは、例えば上述のアンド回路５からのリファレンスパルスの挿入されるタイミングでオンされる。これによってスイッチ１６Ｒ、１６Ｇ、１６Ｂからは、３原色の映像信号に挿入されたそれぞれのリファレンスパルスに対応するカソード電流が取り出される。
【００２４】
これらのカソード電流が検出回路１７Ｒ、１７Ｇ、１７Ｂを通じてレベルシフト回路１３Ｒ、１３Ｇ、１３Ｂに帰還されて、例えば３原色の映像信号の黒レベルがリファレンスパルスの高さと等しくなるように制御が行われる。これによって、例えばオートカットオフ調整が行われるものである。すなわちこの図１の装置においても、例えば映像信号の有効画面外に挿入されたリファレンスパルスが検出されることによって、陰極線管の個体差や経年変化等の補償が行われる。
【００２５】
そしてこの装置において、例えば垂直同期信号を引き込んだ（入力信号の垂直同期分離信号で垂直同期パルスをリセットした）ことを検出した後の最初の制御信号だけがマスクされることによって、例えば上述の図４のＥで垂直偏向が停止された中で形成されるリファレンスパルス（ｄ）を排除することができ、このリファレンスパルスによる水平方向の輝線が、陰極線管（ＣＲＴ）の有効画面内に表示される恐れを解消することができる。
【００２６】
なお上述の装置において、例えば入力信号の垂直同期分離信号と垂直同期パルスが不一致の期間中の全てのリファレンスパルスをマスクすることもできるが、その場合には、帰還制御されるレベルシフト回路１３Ｒ、１３Ｇ、１３Ｂのレベルが不安定になり、例えば映像信号のレベルが最大または最小の極限値に制御されてしまう恐れが生じる。
【００２７】
また上述の装置において、リファレンスパルスは、例えば垂直同期パルスから所定のタイミングで形成されているので、例えば入力信号の垂直同期分離信号と垂直同期パルスが不一致の期間にも、この垂直同期パルスから所定のタイミングで形成されるリファレンスパルスは常に陰極線管（ＣＲＴ）の有効画面の外に挿入されるものである。
【００２８】
従ってこの装置において、映像信号の垂直同期が乱された後に引き込まれた最初の垂直同期に関連したリファレンスパルスの発生を停止することによって、受信チャンネルの切り換え時等の同期信号の乱れや位相の変化などによって、陰極線管の有効画面内にリファレンスパルスが形成されることを防止し、水平方向の輝線が有効画面内に表示されて映像信号の鑑賞が妨害されることがないようにすることができる。
【００２９】
これによって、従来の装置では受信チャンネルの切り換え時等の同期信号の乱れや位相の変化などによって、陰極線管の有効画面内にリファレンスパルスが形成されることがあり、このリファレンスパルスによる水平方向の輝線が有効画面内に表示されて、映像信号の鑑賞を妨害する恐れがあったものを、本発明によればこれらの問題点を容易に解消することができるものである。
【００３０】
こうして上述のテレビジョン受像機によれば、映像信号の有効画面外に所定のリファレンスパルスを設け、受像管の有効画面外でリファレンスパルスによる信号を検出して所定の調整を行う手段を有する装置において、映像信号の垂直同期が乱された後に引き込まれた最初の垂直同期に関連したリファレンスパルスの発生を停止する手段を設けることにより、陰極線管の有効画面内にリファレンスパルスが形成されることを防止し、水平方向の輝線が有効画面内に表示されて映像信号の鑑賞が妨害されることがないようにすることができるものである。
【００３１】
【発明の効果】
従って請求項１の発明によれば、映像信号の垂直同期が乱された後に引き込まれた最初の垂直同期に関連したリファレンスパルスの発生を停止することによって、受信チャンネルの切り換え時等の同期信号の乱れや位相の変化などによって、陰極線管の有効画面内にリファレンスパルスが形成されることを防止し、水平方向の輝線が有効画面内に表示されて映像信号の鑑賞が妨害されることがないようにすることができるものである。
【００３２】
これによって、従来の装置では受信チャンネルの切り換え時等の同期信号の乱れや位相の変化などによって、陰極線管の有効画面内にリファレンスパルスが形成されることがあり、このリファレンスパルスによる水平方向の輝線が有効画面内に表示されて、映像信号の鑑賞を妨害する恐れがあったものを、本発明によればこれらの問題点を容易に解消することができるものである。
【図面の簡単な説明】
【図１】本発明の適用されるテレビジョン受像機の一例の要部の構成図である。
【図２】従来のテレビジョン受像機の要部の構成図である。
【図３】垂直偏向系の構成図である。
【図４】リファレンスパルスの説明のための図である。
【図５】その動作の説明のための図である。
【符号の説明】
１…セット−リセット型のフリップフロップ、２，３…制御端子、４…インバータ、５…アンド回路、１１Ｒ，１１Ｇ，１１Ｂ…３原色（Ｒ、Ｇ、Ｂ）の映像信号の入力端子、１２Ｒ，１２Ｇ，１２Ｂ…スイッチ回路、１３Ｒ，１３Ｇ，１３Ｂ…レベルシフト回路、１４Ｒ，１４Ｇ，１４Ｂ…ドライブ回路、１５…陰極線管（ＣＲＴ）、１６Ｒ，１６Ｇ，１６Ｂ…スイッチ、１７Ｒ，１７Ｇ，１７Ｂ…検出回路
【図１】
0003743143.tif 000002
【図２】
0003743143.tif 000003
【図３】
0003743143.tif 000004
【図４】
0003743143.tif 000005
【図５】
0003743143.tif 000006